(57)【特許請求の範囲】
【請求項１】
物体側から観察側へ順に配置された、正の屈折力の第１レンズ、負の屈折力の第２レンズ、正の屈折力の第３レンズ、負の屈折力の第４レンズ、正の屈折力の第５レンズで構成され、非球面形状のレンズ面を有するレンズを３枚以上含む接眼レンズであって、
非球面形状のレンズ面において軸外光線が通過する最大の高さにおける、該レンズ面のサグ量と該レンズ面の近軸曲率半径に等しい曲率半径を有する球面のサグ量との差の絶対値を｜Ｓａｇ｜とし、前記接眼レンズに含まれる非球面形状のレンズ面のうち｜Ｓａｇ｜の値が最大であるレンズ面の近軸曲率半径をＲＳ、｜Ｓａｇ｜の値をＳａｇｍａｘとしたとき、
０．００７＜｜Ｓａｇｍａｘ／ＲＳ｜＜０．２００
なる条件式を満足することを特徴とする接眼レンズ。
【請求項２】
物体側から観察側へ順に配置された、正の屈折力の第１レンズ、負の屈折力の第２レンズ、負の屈折力の第３レンズ、正の屈折力の第４レンズ、正の屈折力の第５レンズで構成され、非球面形状のレンズ面を有するレンズを３枚以上含む接眼レンズであって、
非球面形状のレンズ面において軸外光線が通過する最大の高さにおける、該レンズ面のサグ量と該レンズ面の近軸曲率半径に等しい曲率半径を有する球面のサグ量との差の絶対値を｜Ｓａｇ｜とし、前記接眼レンズに含まれる非球面形状のレンズ面のうち｜Ｓａｇ｜の値が最大であるレンズ面の近軸曲率半径をＲＳ、｜Ｓａｇ｜の値をＳａｇｍａｘとしたとき、
０．００７＜｜Ｓａｇｍａｘ／ＲＳ｜＜０．２００
なる条件式を満足することを特徴とする接眼レンズ。
【請求項３】
物体側から観察側へ順に配置された、正の屈折力の第１レンズ、正の屈折力の第２レンズ、負の屈折力の第３レンズ、負の屈折力の第４レンズ、正の屈折力の第５レンズで構成され、非球面形状のレンズ面を有するレンズを３枚以上含む接眼レンズであって、
非球面形状のレンズ面において軸外光線が通過する最大の高さにおける、該レンズ面のサグ量と該レンズ面の近軸曲率半径に等しい曲率半径を有する球面のサグ量との差の絶対値を｜Ｓａｇ｜とし、前記接眼レンズに含まれる非球面形状のレンズ面のうち｜Ｓａｇ｜の値が最大であるレンズ面の近軸曲率半径をＲＳ、｜Ｓａｇ｜の値をＳａｇｍａｘとしたとき、
０．００７＜｜Ｓａｇｍａｘ／ＲＳ｜＜０．２００
なる条件式を満足することを特徴とする接眼レンズ。
【請求項４】
物体側から観察側へ順に配置された、負の屈折力の第１レンズ、正の屈折力の第２レンズ、正の屈折力の第３レンズ、正の屈折力の第４レンズ、負の屈折力の第５レンズで構成され、非球面形状のレンズ面を有するレンズを３枚以上含む接眼レンズであって、
非球面形状のレンズ面において軸外光線が通過する最大の高さにおける、該レンズ面のサグ量と該レンズ面の近軸曲率半径に等しい曲率半径を有する球面のサグ量との差の絶対値を｜Ｓａｇ｜とし、前記接眼レンズに含まれる非球面形状のレンズ面のうち｜Ｓａｇ｜の値が最大であるレンズ面の近軸曲率半径をＲＳ、｜Ｓａｇ｜の値をＳａｇｍａｘとしたとき、
０．００７＜｜Ｓａｇｍａｘ／ＲＳ｜＜０．２００
なる条件式を満足することを特徴とする接眼レンズ。
【請求項５】
物体側から観察側へ順に配置された、正の屈折力の第１レンズ、負の屈折力の第２レンズ、正の屈折力の第３レンズ、負の屈折力の第４レンズ、正の屈折力の第５レンズ、正の屈折力の第６レンズで構成され、非球面形状のレンズ面を有するレンズを３枚以上含む接眼レンズであって、
非球面形状のレンズ面において軸外光線が通過する最大の高さにおける、該レンズ面のサグ量と該レンズ面の近軸曲率半径に等しい曲率半径を有する球面のサグ量との差の絶対値を｜Ｓａｇ｜とし、前記接眼レンズに含まれる非球面形状のレンズ面のうち｜Ｓａｇ｜の値が最大であるレンズ面の近軸曲率半径をＲＳ、｜Ｓａｇ｜の値をＳａｇｍａｘとしたとき、
０．００７＜｜Ｓａｇｍａｘ／ＲＳ｜＜０．２００
なる条件式を満足することを特徴とする接眼レンズ。
【請求項６】
前記接眼レンズに含まれる非球面形状のレンズ面のうち｜Ｓａｇ｜の値が最大であるレンズ面を有するレンズの焦点距離をｆＳとしたとき、
０．００３＜｜Ｓａｇｍａｘ／ｆＳ｜＜０．１５０
なる条件式を満足することを特徴とする請求項１乃至５のいずれか一項に記載の接眼レンズ。
【請求項７】
最も観察側のレンズ面からアイポイントまでの距離をＥＲ、接眼レンズの焦点距離をｆとしたとき、
０．２３＜ＥＲ／ｆ＜１．０５
なる条件式を満足することを特徴とする請求項１乃至６のいずれか一項に記載の接眼レンズ。
【請求項８】
前記接眼レンズに含まれる任意の負の屈折力のレンズのｄ線を基準としたアッベ数をνｄｎとしたとき、
５．０＜νｄｎ＜３４．０
なる条件式を満足することを特徴とする請求項１乃至７のいずれか一項に記載の接眼レンズ。
【請求項９】
前記接眼レンズに含まれる非球面形状のレンズ面は、光軸に対して回転対称であることを特徴とする請求項１乃至８のいずれか一項に記載の接眼レンズ。
【請求項１０】
画像を表示する画像表示面を備える画像表示素子と、前記画像表示素子の画像表示面側に設けられた請求項１乃至９のいずれか一項に記載の接眼レンズとを有することを特徴とする観察装置。
【請求項１１】
前記画像表示面の対角長をＨ、前記接眼レンズの焦点距離をｆとしたとき、
０．５２＜Ｈ／ｆ＜０．９１
なる条件式を満足することを特徴とする請求項１０に記載の観察装置。
【請求項１２】
視度調整に際して、前記接眼レンズを構成する全てのレンズが一体として移動することを特徴とする請求項１０または１１に記載の観察装置。
【請求項１３】
画像を撮像する撮像素子と、
前記撮像素子に光学像を形成する撮像光学系と、
前記撮像素子によって撮像された画像を表示する画像表示面を備える画像表示素子と、
前記画像表示素子の画像表示面側に設けられた請求項１乃至９のいずれか一項に記載の接眼レンズと、
を有することを特徴とする撮像装置。
【請求項１４】
前記画像表示面の対角長をＨ、前記接眼レンズの焦点距離をｆとしたとき、
０．５２＜Ｈ／ｆ＜０．９１
なる条件式を満足することを特徴とする請求項１３に記載の撮像装置。
【請求項１５】
視度調整に際して、前記接眼レンズを構成する全てのレンズが一体として移動することを特徴とする請求項１３または１４に記載の撮像装置。
【発明の詳細な説明】
【技術分野】
【０００１】
本発明は、接眼レンズ及びそれを有する観察装置、撮像装置に関し、例えばビデオカメラ、スチルカメラ、放送用カメラに用いられる電子ビューファインダーにおいて、画像表示素子に表示される画像を観察するのに好適なものである。
【背景技術】
【０００２】
従来、ビデオカメラや放送用カメラ等の光学機器に用いられる電子ビューファインダーには、カメラ内部に備え付けられた液晶画面に表示した画像を拡大観察するための接眼レンズが備えられている。
【０００３】
近年、撮像装置の高機能化等に伴い、視界が広いファインダーが求められている。また、ユーザがメガネを掛けた状態でも使用できるような、アイレリーフの長いファインダーが求められている。
【０００４】
特許文献１は、５枚以上のレンズにより構成された接眼レンズを開示している。各レンズの形状や、接眼レンズ全系の焦点距離を適切に設定することにより、アイレリーフが十分長く、諸収差が良好に補正された接眼レンズの実現を図っている。
【先行技術文献】
【特許文献】
【０００５】
【特許文献１】特開２０１３−８８６３２号公報
【発明の概要】
【発明が解決しようとする課題】
【０００６】
上記のように、アイレリーフが長く、広視野角の接眼レンズを実現するために、全体として５枚以上のレンズから構成される接眼レンズが知られている。
【０００７】
特許文献１の接眼レンズでは、各レンズのレンズ面の形状が適切に設定されているとは言えないため、軸外収差が多く発生するおそれがある。
【０００８】
本発明は、アイレリーフが長く、広視野角であり、高い光学性能を有する接眼レンズ及びそれを有する観察装置、撮像装置を提供することを目的とする。
【課題を解決するための手段】
【０００９】
本発明の接眼レンズは、物体側から観察側へ順に配置された、正の屈折力の第１レンズ、負の屈折力の第２レンズ、正の屈折力の第３レンズ、負の屈折力の第４レンズ、正の屈折力の第５レンズで構成され、非球面形状のレンズ面を有するレンズを３枚以上含む接眼レンズであって、非球面形状のレンズ面において軸外光線が通過する最大の高さにおける、該レンズ面のサグ量と該レンズ面の近軸曲率半径に等しい曲率半径を有する球面のサグ量との差の絶対値を｜Ｓａｇ｜とし、前記接眼レンズに含まれる非球面形状のレンズ面のうち｜Ｓａｇ｜の値が最大であるレンズ面の近軸曲率半径をＲＳ、｜Ｓａｇ｜の値をＳａｇｍａｘとしたとき、
０．００７＜｜Ｓａｇｍａｘ／ＲＳ｜＜０．２００
なる条件式を満足することを特徴とする。
また、本発明の他の接眼レンズは、物体側から観察側へ順に配置された、正の屈折力の第１レンズ、負の屈折力の第２レンズ、負の屈折力の第３レンズ、正の屈折力の第４レンズ、正の屈折力の第５レンズで構成され、非球面形状のレンズ面を有するレンズを３枚以上含む接眼レンズであって、非球面形状のレンズ面において軸外光線が通過する最大の高さにおける、該レンズ面のサグ量と該レンズ面の近軸曲率半径に等しい曲率半径を有する球面のサグ量との差の絶対値を｜Ｓａｇ｜とし、前記接眼レンズに含まれる非球面形状のレンズ面のうち｜Ｓａｇ｜の値が最大であるレンズ面の近軸曲率半径をＲＳ、｜Ｓａｇ｜の値をＳａｇｍａｘとしたとき、
０．００７＜｜Ｓａｇｍａｘ／ＲＳ｜＜０．２００
なる条件式を満足することを特徴とする。
また、本発明の他の接眼レンズは、物体側から観察側へ順に配置された、正の屈折力の第１レンズ、正の屈折力の第２レンズ、負の屈折力の第３レンズ、負の屈折力の第４レンズ、正の屈折力の第５レンズで構成され、非球面形状のレンズ面を有するレンズを３枚以上含む接眼レンズであって、非球面形状のレンズ面において軸外光線が通過する最大の高さにおける、該レンズ面のサグ量と該レンズ面の近軸曲率半径に等しい曲率半径を有する球面のサグ量との差の絶対値を｜Ｓａｇ｜とし、前記接眼レンズに含まれる非球面形状のレンズ面のうち｜Ｓａｇ｜の値が最大であるレンズ面の近軸曲率半径をＲＳ、｜Ｓａｇ｜の値をＳａｇｍａｘとしたとき、
０．００７＜｜Ｓａｇｍａｘ／ＲＳ｜＜０．２００
なる条件式を満足することを特徴とする。
また、本発明の他の接眼レンズは、物体側から観察側へ順に配置された、負の屈折力の第１レンズ、正の屈折力の第２レンズ、正の屈折力の第３レンズ、正の屈折力の第４レンズ、負の屈折力の第５レンズで構成され、非球面形状のレンズ面を有するレンズを３枚以上含む接眼レンズであって、非球面形状のレンズ面において軸外光線が通過する最大の高さにおける、該レンズ面のサグ量と該レンズ面の近軸曲率半径に等しい曲率半径を有する球面のサグ量との差の絶対値を｜Ｓａｇ｜とし、前記接眼レンズに含まれる非球面形状のレンズ面のうち｜Ｓａｇ｜の値が最大であるレンズ面の近軸曲率半径をＲＳ、｜Ｓａｇ｜の値をＳａｇｍａｘとしたとき、
０．００７＜｜Ｓａｇｍａｘ／ＲＳ｜＜０．２００
なる条件式を満足することを特徴とする。
また、本発明の他の接眼レンズは、物体側から観察側へ順に配置された、正の屈折力の第１レンズ、負の屈折力の第２レンズ、正の屈折力の第３レンズ、負の屈折力の第４レンズ、正の屈折力の第５レンズ、正の屈折力の第６レンズで構成され、非球面形状のレンズ面を有するレンズを３枚以上含む接眼レンズであって、非球面形状のレンズ面において軸外光線が通過する最大の高さにおける、該レンズ面のサグ量と該レンズ面の近軸曲率半径に等しい曲率半径を有する球面のサグ量との差の絶対値を｜Ｓａｇ｜とし、前記接眼レンズに含まれる非球面形状のレンズ面のうち｜Ｓａｇ｜の値が最大であるレンズ面の近軸曲率半径をＲＳ、｜Ｓａｇ｜の値をＳａｇｍａｘとしたとき、
０．００７＜｜Ｓａｇｍａｘ／ＲＳ｜＜０．２００
なる条件式を満足することを特徴とする。
【発明の効果】
【００１０】
本発明によれば、アイレリーフが長く、広視野角であり、高い光学性能を有する接眼レンズが得られる。
【図面の簡単な説明】
【００１１】
【図１】本発明の実施例１の接眼レンズのレンズ断面図
【図２】本発明の実施例１の接眼レンズの各収差図
【図３】本発明の実施例２の接眼レンズのレンズ断面図
【図４】本発明の実施例２の接眼レンズの各収差図
【図５】本発明の実施例３の接眼レンズのレンズ断面図
【図６】本発明の実施例３の接眼レンズの各収差図
【図７】本発明の実施例４の接眼レンズのレンズ断面図
【図８】本発明の実施例４の接眼レンズの各収差図
【図９】本発明の実施例５の接眼レンズのレンズ断面図
【図１０】本発明の実施例５の接眼レンズの各収差図
【図１１】本発明の実施例６の接眼レンズのレンズ断面図
【図１２】本発明の実施例６の接眼レンズの各収差図
【図１３】本発明の実施例７の接眼レンズのレンズ断面図
【図１４】本発明の実施例７の接眼レンズの各収差図
【図１５】本発明の実施例８の接眼レンズのレンズ断面図
【図１６】本発明の実施例８の接眼レンズの各収差図
【図１７】本発明の撮像装置の要部概略図
【図１８】サグ量の概念図
【発明を実施するための形態】
【００１２】
以下、本発明の接眼レンズ及びそれを有する観察装置、撮像装置について添付の図面に基づいて詳細に説明する。本発明の接眼レンズは、光軸に対して回転対称な非球面形状のレンズ面を有するレンズ（以下、非球面レンズと記載する）を３枚以上含み、接眼レンズ全体として５枚以上のレンズから構成される。
【００１３】
具体的には、実施例１及び２の接眼レンズは、物体側より観察側へ順に、正の屈折力の第１レンズ、負の屈折力の第２レンズ、正の屈折力の第３レンズ、負の屈折力の第４レンズ、正の屈折力の第５レンズから構成される。実施例１の接眼レンズでは、第２レンズ、第３レンズ、第４レンズが、非球面形状のレンズ面を有するレンズ（以下、非球面レンズと記載する）である。実施例２の接眼レンズでは、全てのレンズが非球面レンズである。
【００１４】
実施例３の接眼レンズは、物体側より観察側へ順に、負の屈折力の第１レンズ、正の屈折力の第２レンズ、正の屈折力の第３レンズ、正の屈折力の第４レンズ、負の屈折力の第５レンズから構成される。実施例３の接眼レンズでは、第２レンズ、第３レンズ、第４レンズが、非球面レンズである。
【００１５】
実施例４の接眼レンズは、物体側より観察側へ順に、正の屈折力の第１レンズ、負の屈折力の第２レンズ、負の屈折力の第３レンズ、正の屈折力の第４レンズ、正の屈折力の第５レンズから構成される。実施例４の接眼レンズでは、第１レンズ、第２レンズ、第３レンズ、第５レンズが、非球面レンズである。
【００１６】
実施例５の接眼レンズは、物体側より観察側へ順に、正の屈折力の第１レンズ、正の屈折力の第２レンズ、負の屈折力の第３レンズ、負の屈折力の第４レンズ、正の屈折力の第５レンズから構成される。実施例５の接眼レンズでは、全てのレンズが、非球面レンズである。
【００１７】
実施例６乃至８の接眼レンズは、物体側より観察側へ順に、正の屈折力の第１レンズ、負の屈折力の第２レンズ、正の屈折力の第３レンズ、負の屈折力の第４レンズ、正の屈折力の第５レンズ、正の屈折力の第６レンズから構成される。実施例６の接眼レンズでは、第１レンズ、第２レンズ、第３レンズ、第４レンズが非球面レンズである。実施例７の接眼レンズでは、第２レンズ、第３レンズ、第４レンズが非球面レンズである。実施例８の接眼レンズでは、第１レンズ、第２レンズ、第３レンズ、第４レンズ、第５レンズが非球面レンズである。
【００１８】
図１は、実施例１の接眼レンズの視度が−２．０ディオプター（基準状態）、２．５ディオプター、−６．０ディオプターのときのレンズ断面図である。図２は、実施例１の接眼レンズの基準状態における収差図である。図３は、実施例２の接眼レンズの視度が−２．０ディオプター（基準状態）、２．０ディオプター、−４．０ディオプターのときのレンズ断面図である。図４は、実施例２の接眼レンズの基準状態における収差図である。
【００１９】
図５は、実施例３の接眼レンズの視度が−２．０ディオプター（基準状態）、２．５ディオプター、−４．０ディオプターのときのレンズ断面図である。図６は、実施例３の接眼レンズの基準状態における収差図である。図７は、実施例４の接眼レンズの視度が−２．０ディオプター（基準状態）、２．０ディオプター、−４．０ディオプターのときのレンズ断面図である。図８は、実施例４の接眼レンズの基準状態における収差図である。
【００２０】
図９は、実施例５の接眼レンズの視度が−２．０ディオプター（基準状態）、２．５ディオプター、−６．０ディオプターのときのレンズ断面図である。図１０は、実施例５の接眼レンズの基準状態における収差図である。図１１は、実施例６の接眼レンズの視度が−２．０ディオプター（基準状態）、２．０ディオプター、−４．０ディオプターのときのレンズ断面図である。図１２は、実施例６の接眼レンズの基準状態における収差図である。
【００２１】
図１３は、実施例７の接眼レンズの視度が−２．０ディオプター（基準状態）、２．０ディオプター、−４．０ディオプターのときのレンズ断面図である。図１４は、実施例７の接眼レンズの基準状態における収差図である。図１５は、実施例８の接眼レンズの視度が−２．０ディオプター（基準状態）、２．０ディオプター、−４．０ディオプターのときのレンズ断面図である。図１６は、実施例８の接眼レンズの基準状態における収差図である。
【００２２】
図１７は本発明の接眼レンズを備える撮像装置の要部概略図である。図１８は、サグ量の概念を説明する概略図である。
【００２３】
各実施例の接眼レンズは、例えばデジタルカメラやビデオカメラ等の撮像装置の電子ビューファインダーに用いられる。レンズ断面図において左方は画像表示面側（物体側）、右方は観察側である。レンズ断面図においてＬは接眼レンズである。Ｉは、液晶素子や有機ＥＬ素子等の画像表示素子の画像表示面である。ＥＰは、ユーザが表示面に表示された像を観察するためのアイポイントである。
【００２４】
なお、画像表示面Ｉから、最も画像表示面側に配置されたレンズの画像表示面側のレンズ面までの間に、画像表示面やレンズを保護するためのプレート等を設けても良い。また、接眼レンズＬとアイポイントＥＰの間に、レンズを保護するためのプレート等を設けても良い。ここで、画像表示面Ｉから出射された軸外光線が、観察者の瞳を通過することができる範囲で、アイポイントＥＰを光軸方向に移動させてもよい。
【００２５】
各収差図では、ファインダー視度が基準状態であるときに各実施例の接眼レンズにおいて発生する収差を示している。
【００２６】
球面収差図においては、ｄ線（波長５８７．６ｎｍ）、ｇ線（波長４３５．８ｎｍ）に対する球面収差を示している。非点収差図においてＳはサジタル像面、Ｍはメリディオナル像面である。歪曲収差はｄ線について示している。色収差図ではｇ線における色収差を示している。
【００２７】
ここで、一般的に、接眼レンズの最も観察側のレンズ面からアイポイントまでの距離（アイレリーフ）が長く、広視野角の接眼レンズの実現を図ると、接眼レンズのレンズ径が増大し、軸外光線が光軸から大きく離れた位置を通過することになる。そのため、コマ収差や像面湾曲、歪曲収差等の軸外収差が多く発生することが課題となる。
【００２８】
各実施例の接眼レンズでは、非球面レンズを３枚以上用いることで、軸外収差を良好に補正している。また、各実施例の接眼レンズは、
０．００７＜｜Ｓａｇｍａｘ／ＲＳ｜＜０．２００…（１）
なる条件式を満足している。
【００２９】
ここで、非球面形状のレンズ面において軸外光線が通過する最大高さにおける、近軸曲率半径の面のサグ量に対する非球面形状のレンズ面のサグ量の差をＳａｇとする。そして、サグ量の差の絶対値｜Ｓａｇ｜が最大となる非球面形状のレンズ面の近軸曲率半径をＲＳとする。また、サグ量の差の絶対値｜Ｓａｇ｜の最大値をＳａｇｍａｘとする。
【００３０】
サグ量の差Ｓａｇについて、図１８を用いて説明する。サグ量は、光軸に対して回転対称な非球面形状のレンズ面において軸外光線が通過する最大高さ（光軸からの距離）を基準として、レンズ面頂点から光軸に対して立てた垂線とレンズ面の距離を表すものである。近軸曲率半径の面におけるサグ量をΔ（球）、非球面形状のレンズ面におけるサグ量をΔ（非）とするとき、サグ量の差Ｓａｇは、
Ｓａｇ＝Δ（球）−Δ（非）
と表される。
【００３１】
条件式（１）の上限値を超えて、近軸曲率半径ＲＳに対するサグ量の差の絶対値｜Ｓａｇ｜の最大値Ｓａｇｍａｘが大きくなると、軸外収差を過剰に補正することになるため、好ましくない。また、非球面形状のレンズ面の成形が困難になるため好ましくない。
【００３２】
条件式（１）の下限値を超えて、近軸曲率半径ＲＳに対するサグ量の差の絶対値｜Ｓａｇ｜の最大値Ｓａｇｍａｘが小さくなると、軸外収差を十分に補正することが困難になるため好ましくない。
【００３３】
条件式（１）を満足するように、非球面レンズの形状を適切に設定することにより、アイレリーフが長く、広視野角でありながら、高い光学性能を有する接眼レンズを得ることができる。
【００３４】
なお、各実施例において、好ましくは条件式（１）の数値範囲を次のようにするのがよい。
０．０１５＜｜Ｓａｇｍａｘ／ＲＳ｜＜０．１２０…（１ａ）
【００３５】
また、更に好ましくは条件式（１）の数値範囲を次の如く設定するのが良い。
０．０２４＜｜Ｓａｇｍａｘ／ＲＳ｜＜０．０７５…（１ｂ）
【００３６】
また、アイレリーフが長く、広視野角の接眼レンズを実現しようとすると、観察像が不鮮明になるおそれが生じる。各実施例の接眼レンズは、正レンズを２枚以上有し、負レンズを２枚以上有する。これにより、軸上色収差や倍率色収差が良好に補正された、高精細な観察像を得ることができる。
【００３７】
ここで、各実施例の接眼レンズＬでは、全てのレンズを光軸方向に一体的に移動させることにより視度調整を行うことができる。各レンズを一体的に移動させることにより、視度変化に伴うコマ収差の変動を小さくすることができる。
【００３８】
さらに、各実施例において、次の条件式のうち１つ以上を満足することがより好ましい。
０．００３＜｜Ｓａｇｍａｘ／ｆＳ｜＜０．１５０…（２）
０．２３＜ＥＲ／ｆ＜１．０５…（３）
５．０＜νｄｎ＜３４．０…（４）
【００３９】
ここで、サグ量の差の絶対値｜Ｓａｇ｜が最大となる非球面形状のレンズ面を有するレンズの焦点距離をｆＳ、接眼レンズの最も観察側のレンズ面からアイポイントまでの距離（アイレリーフ）をＥＲ、接眼レンズの全系の焦点距離をｆとする。また、接眼レンズを構成する負レンズの材料のｄ線を基準としたアッベ数をνｄｎとする。
【００４０】
アッベ数νｄは、Ｆ線（４８６．１ｎｍ）、Ｃ線（６５６．３ｎｍ）、ｄ線（５８７．６ｎｍ）に対する材料の屈折率をそれぞれＮＦ、ＮＣ、Ｎｄとするとき、
νｄ＝（Ｎｄ−１）／（ＮＦ−ＮＣ）
で表される数値である。
【００４１】
条件式（２）の上限値を超えると、サグ量の差の絶対値｜Ｓａｇ｜が最大となる非球面形状のレンズ面を有するレンズの焦点距離ｆＳに対するサグ量の差の絶対値｜Ｓａｇ｜の最大値Ｓａｇｍａｘが大きくなり過ぎる。その結果、軸外収差を過剰に補正することになるため、好ましくない。また、サグ量の差の絶対値｜Ｓａｇ｜が最大となる非球面形状のレンズ面の屈折力が強くなり過ぎて、球面収差やコマ収差が多く発生するため、好ましくない。
【００４２】
条件式（２）の下限値を超えると、サグ量の差の絶対値｜Ｓａｇ｜が最大となる非球面形状のレンズ面を有するレンズの焦点距離ｆＳに対するサグ量の差の絶対値｜Ｓａｇ｜の最大値Ｓａｇｍａｘが小さくなり過ぎる。その結果、軸外収差を十分に補正することが困難になるため好ましくない。
【００４３】
条件式（３）は、接眼レンズの全系の焦点距離ｆと、アイレリーフＥＲの比を規定したものである。条件式（３）の上限値を超えて、アイレリーフＥＲが長くなると、最も観察側に配置されたレンズの有効径が増大し、軸外収差を十分に補正することが困難になるため、好ましくない。
【００４４】
条件式（３）の下限値を超えて、アイレリーフＥＲが短くなると視野角が狭くなり過ぎるため、好ましくない。
【００４５】
条件式（４）は、接眼レンズを構成する負レンズの材料のｄ線を基準としたアッベ数νｄｎを規定した条件式である。全体として正の屈折力を有する接眼レンズにおいて、高分散の材料を用いた負レンズを配置することにより、色収差を良好に補正している。
【００４６】
条件式（４）の上限値を超えてアッベ数νｄｎが大きくなると、接眼レンズにおいて色収差を十分に補正することが困難になるため、好ましくない。条件式（４）の下限値を超えてアッベ数νｄｎが小さくなると、色収差が過剰に補正されることになり好ましくない。また、レンズ材料として選択可能な材料が限定されてしまうため好ましくない。
【００４７】
なお、各実施例において、好ましくは条件式（２）〜（４）の数値範囲を次のようにするのがよい。
０．０１０＜｜Ｓａｇｍａｘ／ｆＳ｜＜０．０７５…（２ａ）
０．２４＜ＥＲ／ｆ＜１．００…（３ａ）
１０．０＜νｄｎ＜３０．２…（４ａ）
【００４８】
また、更に好ましくは条件式（２）〜（４）の数値範囲を次の如く設定するのが良い。
０．０１８＜｜Ｓａｇｍａｘ／ｆＳ｜＜０．０４０…（２ｂ）
０．２５＜ＥＲ／ｆ＜０．９８…（３ｂ）
１５．０＜νｄｎ＜２４．０…（４ｂ）
【００４９】
また、画像表示面Ｉに表示される画像を観察する観察装置に各実施例の接眼レンズＬを用いるときには、次の条件式を満足するのが良い。
０．５２＜Ｈ／ｆ＜０．９１…（５）
【００５０】
ここで、画像表示面Ｉの対角長をＨとする。
【００５１】
条件式（５）は、画像表示面Ｉの対角長Ｈと、接眼レンズの焦点距離ｆの比を規定した条件式である。
【００５２】
条件式（５）の下限値を超えて接眼レンズの焦点距離ｆが長くなり過ぎると、視野角が狭くなり過ぎてしまうため好ましくない。
【００５３】
条件式（５）の上限値を超えて接眼レンズの焦点距離ｆが短くなり過ぎると、観察側に配置されたレンズの有効径が大きくなり過ぎる。その結果、観察側に配置されたレンズにおいて、コマ収差や非点収差等の軸外収差が多く発生するため好ましくない。
【００５４】
なお、各実施例において、好ましくは条件式（５）の数値範囲を次のようにするのがよい。
０．５６＜Ｈ／ｆ＜０．８７…（５ａ）
【００５５】
また、更に好ましくは条件式（５）の数値範囲を次の如く設定するのが良い。
０．６０＜Ｈ／ｆ＜０．８５…（５ｂ）
【００５６】
次に、本発明の実施例１〜８にそれぞれ対応する数値実施例１〜８を示す。各数値実施例において、ｉは画像表示面側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。ｒ１は画像表示面を示し、ｒ２は、画像表示面を保護するためのプレートの観察側の面を示す。最も観察側の面は、各実施例の接眼レンズの基準状態におけるアイポイントＥＰを示す。
【００５７】
また、Ｋを離心率、Ａ４、Ａ６、Ａ８を非球面係数、光軸からの高さｈの位置での光軸方向の変位を面頂点を基準にしてｘとするとき、非球面形状は、
ｘ＝（ｈ２／Ｒ）／［１＋［１−（１＋Ｋ）（ｈ／Ｒ）２］１／２］＋Ａ４ｈ４＋Ａ６ｈ６＋Ａ８ｈ８
で表示される。但しＲは近軸曲率半径である。面番号の右側に＊を付した面は、非球面であることを示す。また「ｅ−Ｚ」の表示は「１０−Ｚ」を意味する。
【００５８】
［数値実施例１］
単位 mm
面データ
面番号       r        d        nd       νd
1          ∞       0.70   1.51000    60.0
2          ∞     (可変)
3        -65.737    3.95   2.00069    25.5
4        -22.170    3.52
5*       -14.334    3.00   1.63550    23.8
6*       110.330    0.30
7*        48.492    6.84   1.53110    55.9
8*       -21.874    1.20
9*       128.789    1.41   1.63550    23.8
10*        22.276    1.20
11         39.057    8.21   1.83481    42.7
12        -39.057   27.00
13  (アイポイント)
非球面データ
第5面
K =-7.28787e-001  A 4=-6.03675e-005  A 6= 1.77471e-007
第6面
K = 4.51650e+001  A 4=-1.11796e-005  A 6=-6.19143e-008
第7面
K =-4.38548e+000  A 4=-2.38798e-005  A 6=-2.65742e-008
第8面
K =-1.22703e+000  A 4=-4.69821e-006  A 6= 3.91413e-008
第9面
K =-2.69921e+002  A 4=-1.52881e-007  A 6=-4.63945e-009
第10面
K =-4.63925e+000  A 4= 4.39848e-006  A 6= 5.19693e-010
各種データ
視度[diopter] -2.0     +2.5     -6.0
焦点距離      28.56    28.56    28.56
d 2            9.12    12.79     5.80
【００５９】
［数値実施例２］
単位 mm
面データ
面番号       r        d         nd      νd
1          ∞       0.70   1.51000    60.0
2          ∞     (可変)
3*       -98.827   11.19   1.85135    40.1
4*       -71.371   20.00
5*       -49.765    3.00   1.63550    23.8
6*      -407.575    1.11
7*     -1171.461    7.94   1.49171    57.4
8*       -82.367    1.20
9*       219.883    3.76   1.63550    23.8
10*        74.863    1.23
11*        95.021    8.12   1.80610    40.7
12*       -92.616   27.00
13  (アイポイント)
非球面データ
第3面
K = 4.54099e-001  A 4= 3.40725e-008  A 6= 7.53032e-011  A 8=-1.51639e-013
第4面
K = 3.40970e-001  A 4= 8.48720e-008  A 6=-4.76459e-011  A 8= 1.79616e-014
第5面
K = 3.53841e-001
第6面
K =-1.00057e+003
第7面
K =-2.99780e+003  A 4=-5.75156e-006  A 6= 7.03535e-009
第8面
K =-1.18365e+000  A 4= 4.34382e-006  A 6=-5.53385e-009
第9面
K = 1.75400e+001  A 4=-2.52412e-006  A 6=-7.75632e-009
第10面
K =-1.05760e+001  A 4=-6.88282e-006  A 6= 3.02568e-009
第11面
K = 3.83428e+000
第12面
K = 1.63448e+000
各種データ
視度[diopter] -2.0     +2.0     -4.0
焦点距離      91.98    91.98    91.98
d 2           31.59    66.08    20.00
【００６０】
［数値実施例３］
単位 mm
面データ
面番号       r        d         nd      νd
1          ∞       0.70   1.51000    60.0
2          ∞     (可変)
3        -18.559    1.00   1.64769    33.8
4        405.260    8.54   1.69350    53.2
5*       -30.810    1.18
6*       161.494    7.67   1.49171    57.4
7        -38.921    0.10
8*        48.932    8.43   1.49171    57.4
9        -97.046    0.10
10         33.326    1.20   1.69895    30.1
11         22.887   30.00
12  (アイポイント)
非球面データ
第5面
K =-6.54146e-003
第6面
K =-2.64204e+002  A 4=-3.16425e-006  A 6=-2.31819e-009
第8面
K = 1.87604e+000
各種データ
視度[diopter] -2.0     +2.5     -4.0
焦点距離      50.29    50.29    50.29
d 2           28.47    40.02    20.00
【００６１】
［数値実施例４］
単位 mm
面データ
面番号       r        d         nd      νd
1          ∞       0.70   1.51000    60.0
2          ∞     (可変)
3*        85.611    7.93   1.63278    23.3
4*       -73.248   11.44
5*       -38.173    2.99   1.63550    23.8
6          ∞       2.00
7        -50.000    2.00   1.63550    23.8
8*        63.180    1.08
9         80.000    3.73   1.83481    42.7
10       -120.000    3.63
11*        44.916   11.36   1.53110    55.9
12*       -38.064   27.00
13  (アイポイント)
非球面データ
第3面
K =-3.90666e+001  A 4= 1.18895e-005  A 6=-1.59624e-008
第4面
K = 1.15096e+001  A 4= 8.63593e-006  A 6=-4.12233e-009
第5面
K =-1.92831e+000  A 4=-7.44051e-006  A 6=-6.66949e-008
第8面
K = 6.40443e+000  A 4=-1.12216e-005  A 6=-5.11268e-008
第11面
K = 6.47203e-001  A 4=-1.83397e-005  A 6=-3.67313e-008
第12面
K =-4.15340e+000  A 4=-1.79314e-005  A 6= 8.95990e-009
各種データ
視度[diopter] -2.0     +2.0     -4.0
焦点距離      52.35    52.35    52.35
d 2           12.84    23.84     7.81
【００６２】
［数値実施例５］
単位 mm
面データ
面番号       r        d         nd      νd
1          ∞       0.70   1.51000    60.0
2          ∞     (可変)
3*       -38.535   14.01   1.63278    23.3
4*       -29.517    1.20
5*        24.703    7.75   1.53110    55.9
6*      -192.936    1.07
7*      -230.075    4.76   1.63550    23.8
8*        18.027    8.01
9*        37.444    3.24   1.63550    23.8
10*        30.304    3.65
11*        53.230   10.15   1.53110    55.9
12*       -35.174   27.00
13  (アイポイント)
非球面データ
第3面
K =-2.22441e+000
第4面
K =-1.18255e+000
第5面
K =-1.32449e+000  A 4= 7.79653e-006  A 6=-2.68440e-008
第6面
K = 2.37035e+001  A 4= 5.59136e-006  A 6= 2.14521e-008
第7面
K = 1.36735e+002  A 4= 8.57582e-006  A 6= 1.39697e-008
第8面
K =-1.09087e+000  A 4= 4.16185e-005  A 6=-1.08061e-007
第9面
K =-1.50678e+001  A 4= 8.86960e-006  A 6= 1.79036e-008
第10面
K =-1.08863e+001  A 4=-3.03939e-006  A 6= 3.51421e-008
第11面
K =-1.20352e+000
第12面
K = 3.09095e-001
各種データ
視度[diopter] -2.0     +2.5     -6.0
焦点距離      52.34    52.34    52.34
d 2           15.82    28.22     5.80
【００６３】
［数値実施例６］
単位 mm
面データ
面番号       r        d         nd      νd
1          ∞       0.70   1.51000    60.0
2          ∞     (可変)
3*       166.099    9.26   1.53110    55.9
4*       -34.164    6.60
5*       -28.931    3.82   1.63550    23.8
6*       -93.400    0.47
7*      -153.697    3.79   1.53110    55.9
8*       -50.254    2.12
9*       -40.174    6.83   1.63550    23.8
10*       -56.296    1.20
11      -3131.870    4.55   1.53110    55.9
12        -62.412    1.20
13        110.718    3.36   1.49700    81.5
14       -332.326   27.00
15  (アイポイント)
非球面データ
第3面
K =-9.59406e+001  A 4=-2.43307e-006  A 6=-5.82983e-009
第4面
K = 3.24062e-001  A 4= 2.14830e-006  A 6= 2.81943e-009
第5面
K = 9.32664e-002  A 4=-5.63898e-007  A 6= 2.57659e-008
第6面
K =-8.05489e+000  A 4= 6.49218e-007  A 6=-1.63252e-010
第7面
K =-4.96939e+001  A 4=-1.17845e-006  A 6=-4.58865e-009
第8面
K = 2.90402e-001  A 4=-2.46377e-006  A 6= 5.28440e-009
第9面
K =-1.87452e-001  A 4= 1.66992e-006  A 6=-7.39182e-009
第10面
K = 2.96336e+000  A 4= 4.16642e-007  A 6= 1.08928e-009
各種データ
視度[diopter] -2.0     +2.0     -4.0
焦点距離      52.34    52.34    52.34
d 2           22.29    33.23    17.21
【００６４】
［数値実施例７］
単位 mm
面データ
面番号       r        d         nd      νd
1          ∞       0.70   1.51000    60.0
2          ∞     (可変)
3      -1201.003   20.00   1.48749    70.2
4        -89.718   20.00
5*       -64.550    3.06   1.63550    23.8
6*      -160.023    2.00
7*      -230.109    3.54   1.53110    55.9
8*      -119.762    1.20
9*       -86.800   12.72   1.63550    23.8
10*      -103.753    1.20
11       5354.752    4.23   1.60311    60.6
12       -123.568    1.20
13        178.678    3.96   1.49700    81.5
14       -351.151   27.00
15  (アイポイント)
非球面データ
第5面
K = 2.64919e+000  A 4=-7.42759e-007
第6面
K =-6.77987e+001  A 4=-2.49183e-008
第7面
K = 6.98083e+001  A 4=-1.18509e-006
第8面
K = 5.02189e+000  A 4=-2.98254e-006  A 6=-1.01200e-009
第9面
K = 2.92913e+000  A 4= 1.34769e-006
第10面
K = 1.50370e+000  A 4=-8.31493e-007
各種データ
視度[diopter] -2.0     +2.0     -4.0
焦点距離     104.68   104.68   104.68
d 2           32.12    76.83    17.13
【００６５】
［数値実施例８］
単位 mm
面データ
面データ
面番号       r        d         nd      νd
1          ∞       0.70   1.51000    60.0
2          ∞     (可変)
3*       136.125    8.69   1.69350    53.2
4*       -43.222    8.67
5*       -28.738    3.00   1.63550    23.8
6*       -89.027    0.30
7*      -231.429    5.74   1.53110    55.9
8*       -46.578    2.68
9*       -39.537    2.66   1.63550    23.8
10*       -55.894    1.84
11*     -2299.162    5.94   1.53110    55.9
12*       -60.213    1.20
13        110.718    4.00   1.55332    71.7
14       -332.326   27.00
15  (アイポイント)
非球面データ
第3面
K =-6.07439e+000  A 4=-1.82896e-006  A 6=-5.07089e-009
第4面
K = 5.99930e-001  A 4= 1.41427e-006  A 6= 4.25770e-010
第5面
K = 1.13826e-001  A 4=-6.11987e-007  A 6= 2.58066e-008
第6面
K =-7.86704e+000  A 4= 6.27492e-007  A 6=-5.81898e-010
第7面
K =-3.07481e+001  A 4=-8.80513e-007  A 6=-3.57889e-009
第8面
K = 5.53963e-001  A 4=-2.76657e-006  A 6= 4.45282e-009
第9面
K =-1.40844e-001  A 4= 1.47140e-006  A 6=-7.32877e-009
第10面
K = 3.06010e+000  A 4= 6.99258e-007  A 6= 1.21727e-009
第11面
K = 1.00225e+004  A 4=-2.66396e-007  A 6= 8.58565e-011  A 8= 9.72106e-013
第12面
K =-3.51427e-001  A 4= 2.36708e-007  A 6= 2.33340e-010  A 8=-4.05287e-013
各種データ
視度[diopter] -2.0     +2.0     -4.0
焦点距離      45.99    45.99    45.99
d 2           19.29    27.62    15.12
【００６６】
続いて、各数値実施例における上述した条件式の数値を表１に示す。ここで、νｄｎに関しては、上から順に、物体側から１番目の負レンズ、２番目の負レンズの材料のアッベ数を表記している。
【００６７】
【表１】
0006406930.tif 000002
【００６８】
次に、各実施例に示した接眼レンズを用いたビデオカメラの実施形態について、図１５を用いて説明する。
【００６９】
図１７において、１０はビデオカメラ本体であり、１１は、不図示の撮像素子上に被写体像を形成する撮像光学系、１２は集音マイクである。１３は、不図示の画像表示素子に表示された被写体像を、本発明の接眼レンズを介して観察するための観察装置（電子ビューファインダー）である。画像表示素子は液晶パネル等により構成され、画像表示素子には、撮影光学系１１によって形成された物体像等が表示される。
【００７０】
このように本発明の接眼レンズを、ビデオカメラ等の撮像装置に適用することにより、アイレリーフが長く、広視野角であり、高い光学性能を有する撮像装置を得ることができる。
【符号の説明】
【００７１】
Ｌ  接眼レンズ
Ｉ  画像表示面
ＥＰ  アイポイント
【図１】
0006406930.tif 000003
【図２】
0006406930.tif 000004
【図３】
0006406930.tif 000005
【図４】
0006406930.tif 000006
【図５】
0006406930.tif 000007
【図６】
0006406930.tif 000008
【図７】
0006406930.tif 000009
【図８】
0006406930.tif 000010
【図９】
0006406930.tif 000011
【図１０】
0006406930.tif 000012
【図１１】
0006406930.tif 000013
【図１２】
0006406930.tif 000014
【図１３】
0006406930.tif 000015
【図１４】
0006406930.tif 000016
【図１５】
0006406930.tif 000017
【図１６】
0006406930.tif 000018
【図１７】
0006406930.tif 000019
【図１８】
0006406930.tif 000020